(57)【要約】      （修正有）【課題】色相が変化する変色機能を有する装飾模様を採用するとともに、かかる色相変化を見者が確実に視認できるようにして、意外性に富むインパクトのある意匠感を見者に与える。【解決手段】表面に装飾模様１３を有する壁パネル４と、この壁パネル４の表面側に取り付けられた照明器具１２とを備えた内装壁構造において、装飾模様１３として、見者が見る角度によって色相が変化する変色機能を有するものを採用する。また、照明器具１２からの直接光Ｄ１によって生じる装飾模様１３の変色機能を増大させるために、装飾模様１３を照明器具１２とほぼ同じ高さレベルに設ける。【選択図】図１
2009191544.tif 000002
【特許請求の範囲】
【請求項１】
表面に装飾模様を有する壁パネルと、この壁パネルの表面側に取り付けられた照明器具とを備えた内装壁構造であって、
前記装飾模様は、見者が見る角度によって色相が変化する変色機能を有し、
前記照明器具からの直接光によって生じる前記装飾模様の変色機能を増大させるために、前記装飾模様が当該照明器具とほぼ同じ高さレベルに設けられていることを特徴とする内装壁構造。
【請求項２】
前記装飾模様は、更に、見る角度によって彩度が変化して、色相が認識できたり殆ど認識できなかったりする変彩機能を有する請求項１に記載の内装壁構造。
【請求項３】
前記装飾模様は、その表面反射光で特定される第一色相と、前記表面反射光と内部反射光の干渉光により前記第一色相の補色として特定される第二色相とのいずれか一方に変色するものである請求項１又は２に記載の内装壁構造。
【請求項４】
前記装飾模様は、微細な鱗片状のフレーク顔料を酸化チタン等よりなる高屈折率層でコーティングしてなる偏光シートで構成されている請求項１〜３のいずれか１項に記載の内装壁構造。
【請求項５】
前記装飾模様は、肉眼で視認可能な大きさでかつ規則的又は不規則に並べられた多数の彩色エリアを模様の構成単位として備えており、
前記多数の彩色エリアは、前記第一色相と前記第二色相の組み合わせが異なる複数種類の変色パターンで色分けされている請求項３又は４に記載の内装壁構造。
【請求項６】
排水口を有する長方形状の床部材と、
この床部材に設置された浴槽と、
前記床部材の四辺からそれぞれ立設された内装用の壁パネルを有する請求項１〜５のいずれか１項に記載の内装壁構造とを備えていることを特徴とする浴室ユニット。
【発明の詳細な説明】
【技術分野】
【０００１】
本発明は、見る角度によって色相が変化する装飾模様が施された内装壁構造と、これを備えた浴室ユニットに関する。
【背景技術】
【０００２】
従来、浴室ユニットの技術分野においても、室内の意匠性を向上するために、浴室ユニットの内壁面に種々の装飾模様が施すことが行われている（例えば、特許文献１及び２参照）。
このうち、特許文献１では、内装壁を構成する壁パネルの継ぎ目となるフランジ部形成領域にもインクジェット印刷を行うようにして、壁パネルを互いに接合したときに装飾模様が継ぎ目部分で分断されないようにし、連続的で意匠性の高い装飾模様を内装壁に施す技術が記載されている。
【０００３】
一方、特許文献２では、石目調、大理石調及び御影調などの浴室ユニットで主流となっている従前の装飾模様では、斬新な意匠性を付与することができないため、酸化ホルミウム微粒子を含む塗料で浴槽や壁面をコーティングする技術が記載されている。
この特許文献２に記載の浴室ユニットによれば、表面の酸化ホルミウム微粒子により、入射光の波長に対応して反射光が変化し、光源の変化によってコーティング部分の色調が変化する意匠性の高い浴室ユニットが得られるとされている。
【０００４】
【特許文献１】特開２００７−１９７９３１号公報
【特許文献２】特開２００２−２７６１７５号公報
【発明の開示】
【発明が解決しようとする課題】
【０００５】
上記特許文献２では、光源の変化によって色調が変化するコーティング部分（装飾部分）を浴槽や浴室壁面に施すことになっているが、かかる装飾部分を施す高さ位置を照明器具との関係でどのようにすれば、より効率的に色調の変化が得られるかという点については考慮されていない。
このため、上記装飾部分を施す高さ位置によっては、必ずしも、見者が意匠性の向上を感じる程に魅力的な装飾を施すことができるとは限らず、浴室の内部を無駄に装飾してしまう結果となる。
【０００６】
すなわち、この種の浴室ユニットでは、天井面ではなく壁面上部に照明器具を設けることが多いが、この場合、例えば、色調が変化する装飾部分を照明器具の下方に離れた低い場所に施したとしても、照明器具からの直接光が装飾部分に反射して浴室内の見者に至ることが非常に少ない。
従って、装飾部分の色調の変化が、照明器具からの直接光ではなく、主として浴室内の間接光で生じることになるので、当初想定した程には装飾部分の色調が変化せず、浴室内の意匠性をそれほど向上できないことがある。
【０００７】
一方、特許文献２では、光源の変化によって起こる装飾部分の変化は、その装飾部分の「色調」であり、この「色調」とは、明度と彩度を複合した概念で、色彩の強弱や濃淡の調子（トーン）のことを意味する。従って、「色調が変化」するとは、一つの色相に関する彩度と明度が変化することを意味する。
このように、特許文献２では、光源の変化で生起する装飾部分の変化は、一つの色相に関する「色調」の変化であるに過ぎず、これでは浴室内の見者に与える意外性の度合いが乏しいため、インパクトの強い装飾模様を構成できないという欠点もある。
【０００８】
本発明は、かかる従来の問題点に鑑み、色相が変化する変色機能を有する装飾模様を採用するとともに、かかる色相変化を見者が確実に視認できるようにして、意外性に富むインパクトのある意匠感を見者に与えられる内装壁構造と、これを備えた浴室ユニットを提供することを目的とする。
【課題を解決するための手段】
【０００９】
本願発明者らは、色調の変化よりも色相の変化の方が見者がより意外性を感じるとの発想に基づき、かかる色相が変化する装飾模様を壁面に照明器具がある内装壁構造に施すに当たって、その装飾模様と照明器具との高さ関係が色相の変化に対してどのような影響を及ぼすかについて鋭意考察を重ね、本願発明を完成するに至った。
【００１０】
すなわち、本発明の内装壁構造（請求項１）は、表面に装飾模様を有する壁パネルと、この壁パネルの表面側に取り付けられた照明器具とを備えた内装壁構造であって、前記装飾模様は、見者が見る角度によって色相が変化する変色機能を有し、前記照明器具からの直接光によって生じる前記装飾模様の変色機能を増大させるために、前記装飾模様が当該照明器具とほぼ同じ高さレベルに設けられていることを特徴とする。
【００１１】
本発明の内装壁構造によれば、見者が見る角度によって色相が変化する変色機能を有する装飾模様が照明器具とほぼ同じ高さレベルに設けられているので、照明器具から装飾模様に入射した直接光が装飾模様で反射すると、その反射光は室内に居る見者のほぼ目の高さ付近に向かって反射する。
従って、例えば、装飾模様が照明器具の下方に離れた低い場所にある場合に比べて、照明器具の直接光を光源とした色相変化を見者が視認することが多くなり、その色相変化を見者がより確実に視認できるようになる。
【００１２】
本発明の内装壁構造において、前記装飾模様は、更に、見る角度によって彩度が変化して、色相が認識できたり殆ど認識できなかったりする変彩機能を有することが好ましい（請求項２）。
この場合、装飾模様が、色相の変化を伴う変色機能に加えて、その色相を認識できたり殆ど認識できなかったりする変彩機能を有するので、室内に居る見者が自身の立ち位置によって装飾模様を視認できたりできなかったりし、よりいっそう意外性に富んだ内装壁構造を得ることができる。
【００１３】
前記装飾模様は、その表面反射光で特定される第一色相と、前記表面反射光と内部反射光の干渉光により前記第一色相の補色として特定される第二色相とのいずれか一方に変色するものであることが好ましい（請求項３）。
この場合、装飾模様の色相の変化が、互いに補色関係にある第一色相と第二色相との間で入れ替わることになるので、類似色同士の間で色相変化が生じる場合に比べて、見者が色相の変化をより視認し易くなる。
【００１４】
本発明の内装壁構造において、見る角度によって色相が変化する変色機能や、彩度が変化する変彩機能を有する装飾模様は、例えば、微細な鱗片状のフレーク顔料を酸化チタン等よりなる高屈折率層でコーティングしてなる偏光シートで構成することができる（請求項４）。
かかる偏光シートによれば、高屈折率層の膜厚を調整することにより、第一色相と第二色相の変色パターンを複数種類得ることができる。
【００１５】
また、フレーク顔料としては、マイカ（雲母）、アルミニウム、グラファイト等を使用できるが、半透明な材料であるマイカを使用すると、見る角度によって入射光が殆ど反射しなくなって、見者が装飾模様の彩度を認識できなくなる。従って、変色機能と同時に変彩機能を得ることができる。
【００１６】
本発明の内装壁構造において、前記装飾模様は、肉眼で視認可能な大きさでかつ規則的又は不規則に並べられた多数の彩色エリアを模様の構成単位として備えたものを採用することができ、この場合、多数の彩色エリアは、前記第一色相と前記第二色相の組み合わせが異なる複数種類の変色パターンで色分けされていることが好ましい（請求項５）。
かかる装飾模様を採用すれば、多数の彩色エリアは、第一色相と第二色相の組み合わせが異なる複数種類の変色パターンで多数の彩色エリアが色分けされているので、個々の彩色エリアで異なる変色パターンの色相変化が生じ、変色パターンが単一である場合に比べてより意外性に富んだ内装壁構造を得ることができる。
【００１７】
本発明の内装壁構造は、例えば、建物の各部屋の内装手段の一つとして採用することができ、採用する部屋の種類は特に限定されないが、プレハブ式の浴室ユニットや洗面ユニットに使用するのが好適である。
例えば、本発明の浴室ユニットは、排水口を有する長方形状の床部材と、この床部材に設置された浴槽と、前記床部材の四辺からそれぞれ立設された内装用の壁パネルを有する本発明の内装壁構造とを備えたものとなる。
【発明の効果】
【００１８】
以上の通り、本発明によれば、色相が変化する変色機能を有する装飾模様を採用するとともに、その色相の変化を見者が確実に視認できるようにしたので、室内に居る見者に対して意外性に富むインパクトのある意匠感を与えることができる。
【発明を実施するための最良の形態】
【００１９】
以下、図面を参照しつつ、本発明の実施形態を説明する。
〔浴室ユニット〕
図１は、本発明の内装壁構造を適用した一例である浴室ユニットの斜視図である。
図１に示すように、この浴室ユニット１は、排水口２ａを有する長方形状の床部材２と、この床部材２に設置された浴槽３と、床部材２の四辺からそれぞれ立設された内装用の壁パネル４と、この各壁パネル４の上端部にそれぞれ接続された天井パネル５とから構成されている。
【００２０】
四つの壁パネル４は、隣接するもの同士の幅方向端部を互いに接続することにより、平面視で長方形状となる内装壁構造を構成しており、この内装壁構造で区画される部屋の内部が浴室となる。
四つの壁パネル４のうちの一つは、ユーザが浴室に出入りするための開き戸式の浴室ドア６を備えており、浴室内におけるドア６から最も遠い部分に、前記浴槽３が設けられている。
【００２１】
浴槽３は、床部材２のドア６から離れた部分に形成された防水パン（図示せず）に設置されており、床部材２における浴槽３以外のエリアは、ユーザが自身の体の洗浄作業を行うための洗浄エリアになっている。
ドア６付きの壁パネル４に直交する他の壁パネル４には、石鹸その他の洗浄用具を載置可能なカウンタ７と、このカウンタ７の上方に位置する水栓８と、この水栓８上方に位置するミラー９とが取り付けられている。
【００２２】
水栓８には、ホースを介してシャワーノズル１０が接続されており、このシャワーノズル１０は、上下位置を調整自在な引っ掛け具１１に取り付けられている。
また、上記壁パネル４の上部には、左右一対の照明器具１２が取り付けられている。この各照明器具１２は、壁パネル４の壁面から突出する電球を、半透明の防水ボックスで覆うことによって構成されており、浴室ユニット１の外部に設けられた手動スイッチ（図示せず）を操作することで点灯及び消灯することができる。
【００２３】
〔装飾模様〕
更に、壁パネル４の上部でかつ照明器具１２とほぼ同じ高さレベルに、本発明の特徴点である装飾模様１３が施されている。この装飾模様１３は、照明器具１２の上下高さよりも大きい幅寸法を有し、照明器具１２を自身の幅領域内に含む状態で、壁パネル４の表面上部に水平方向に延設されている。
なお、図１の例では、ドア６付きの壁パネル４に装飾模様１３が施されていないが、この壁パネル４にも装飾模様１３を施してもよく、四つの壁パネル４のうちのどれに装飾模様１３を施すかは、任意に決定することができる。
【００２４】
本実施形態の装飾模様１３は、肉眼で視認可能な大きさでかつ不規則に並べられた多数の彩色エリア１４を模様の構成単位として備え、この多数の彩色エリア１４をいわゆるステンドグラス調に配列した表面形状になっている。
また、本実施形態の装飾模様１３は、見者が見る角度によって色相が変化する変色機能と、見る角度によって彩度が変化して、色相が認識できたり殆ど認識できなかったりする変彩機能とを有する偏光シート１５で構成されている。
【００２５】
〔偏光シート〕
図２は、偏光シート１５と壁パネル４の断面図であり、図３は、偏光シート１５の変色機能を示す概念図である。
図２に示すように、装飾模様１３は、壁パネル４の表面に偏光シート１５を貼り付けることによって施されている。
本実施形態の壁パネル４は、金属面の保護又は装飾をするためにガラス質の釉を塗って焼き付けたホーロー製のものを採用しており、このため、７８０〜８３０°Ｃ程度で焼き付けを行う際に、偏光シート１５を壁パネル４の表面に焼成することにより、装飾模様１３を壁パネル４の表面に転写するようにしている。
【００２６】
図３に示すように、本実施形態の偏光シート１５は、微細な鱗片状のフレーク顔料１６を酸化チタン等よりなる高屈折率層１７でコーティングすることによって構成されている。上記フレーク顔料１７としては、マイカ（雲母）、アルミニウム、グラファイト等を使用することができるが、本実施形態では、半透明な材料であるマイカを使用している。
【００２７】
かかる積層構造を有する偏光シート１５は、その表面反射光で特定される第一色相と、表面反射光と内部反射光の干渉光により第一色相の補色として特定される第二色相とのいずれか一方に変色する変色機能を発揮することができる。
そして、高屈折率層１７の膜厚を調整することにより、例えば次の〔表１〕に示すように、第一色相と第二色相の変色パターンを複数種類得ることができる。
【００２８】
【表１】
2009191544.tif 000003
【００２９】
上記〔表１〕に示すように、本実施形態では色相の変色パターンがＡ〜Ｅの５種類となるように、各彩色エリア１４における高屈折率層１７の膜厚を設定している。
そして、図１に示すように、ステンドグラス調に配列された多数の彩色エリア１４は、この５種類の変色パターンＡ〜Ｅのうちのいずれかとなるように色分けされていて、この際、隣接する彩色エリア１４とはなるべく異なる変色パターンＡ〜Ｅで色分けすることにより、実際のステンドグラス調に近い幻想的な配色となっている。
【００３０】
また、上記偏光シート１５では、半透明な材料であるマイカをフレーク顔料１６として使用しているので、見る角度によっては入射光が殆ど反射しなくなり、見者が各彩色エリア１４の彩度を認識できなくなる。
従って、上記偏光シート１５で構成された本実施形態の装飾模様１３は、見者の見る角度によって補色関係にある第一色相と第二色相とが入れ替わる変色機能を有すると同時に、その色相そのものが認識できたり殆ど認識できなくなる変彩機能を併有する。
【００３１】
〔内装壁構造及び浴室ユニットの効果〕
上記構成の内装壁構造を有する浴室ユニット１によれば、前記した通り、見者が見る角度によって色相が変化する変色機能を有する装飾模様１３が照明器具１２とほぼ同じ高さレベルに設けられている。
また、この種のプレパブの浴室ユニット１の場合、通常、照明器具１２が天井パネル５ではなく壁パネル４に設けられており、照明器具１２の設置高さが概ね見者の目の高さとほぼ同じ高さレベルになっている。
【００３２】
このため、図１に示すように、照明器具１２から装飾模様１３に入射した直接光Ｄ１が装飾模様１３で反射すると、その反射光Ｒ１は浴室に居る見者のほぼ目の高さ付近に向かって反射する。
これに対して、図１に仮想線で示すように、仮に装飾模様１３を照明器具１２の下方に配置した場合には、照明器具１２からの直接光Ｄ２がその下方の装飾模様１３に入射すると、その反射光Ｒ２が、浴室に居る見者の目の高さによりも低い所に向かって反射することになる。
【００３３】
このため、照明器具１２と装飾模様１３の高さレベルを揃えた本実施形態の内装壁構造の場合には、装飾模様１３が照明器具１２の下方に離れた低い場所にある場合に比べて、照明器具１２の直接光Ｄ１を光源とした色相変化を見者が視認することが多くなるので、その色相変化を見者がより確実に視認できるようになる。
なお、壁パネル４に反射した後の間接光が光源である場合でも、装飾模様１３の変色機能が発揮されるが、浴室ユニット１の照明器具１２は壁パネル４に一つ又は二つ程度しか設けられないので、間接光を光源とした色相変化は、照明器具１２からの直接光を光源とした色相変化に比べて、見者にとって格段に視認し難い。
【００３４】
このように、本実施形態の浴室ユニット１によれば、色相が変化する変色機能を有する装飾模様１３を採用するに当たって、照明器具１２からの直接光Ｄ１の影響による色相変化を見者が視認し易くなるような高さレベルに当該装飾模様１３を配置したので、浴室内に居る見者に対して意外性に富むインパクトのある意匠感を与えることができる。
また、本実施形態の浴室ユニット１によれば、装飾模様１３が、上記変色機能だけでなく、見る角度によって彩度が変化して、色相が認識できたり殆ど認識できなかったりする変彩機能を併有しているので、浴室内に居る見者が自身の立ち位置によって装飾模様１３を視認できたりできなかったりし、この点でよりいっそう意外性に富んだ印象を見者に与えることができる。
【００３５】
更に、本発明の浴室ユニット１によれば、装飾模様１３の色相の変化が、互いに補色関係にある第一色相と第二色相との間で入れ替わるようになっているので、類似色同士の間で色相変化が生じる場合に比べて、見者が色相の変化をより視認し易くなる。
そして、装飾模様１３としていわゆるステンドグラス調のものを採用し、この模様の構成単位である多数の彩色エリア１４を、第一色相と第二色相の組み合わせが異なる複数種類の変色パターンＡ〜Ｅで色分けするようにしたので、個々の彩色エリア１４で異なる変色パターンＡ〜Ｅの色相変化が生じ、変色パターンが単一である場合に比べて、より意外性に富んだ印象を見者に与えることができる。
【００３６】
上記実施形態はすべて例示であり本発明の範囲を制限するものではない。本発明の範囲は、上記実施形態ではなく特許請求の範囲によって示され、特許請求の範囲の構成と均等の範囲内での変更が含まれる。
例えば、壁パネル４の材質はホーロー製のものに限らず、その他、鋼板を塩ビやフッ素樹脂等で被覆してなるラミネート鋼板を使用することもできる。
【００３７】
上記ラミネート鋼板は、ロールコータで樹脂をラミネートするので単色系のものが多いが、そのラミネートの際にフレーク顔料入りの塗料を表面に塗装することにより、本発明の内装壁構造を構成するための壁パネル４として採用し得る。
また、装飾模様１３の形状はステンドグラス調のものに限らず、彩色エリア１４を規則的に並べた格子模様や、その他の幾何学模様であってもよい。
【００３８】
更に、本発明の内装壁構造は、住宅内の部屋であれば浴室ユニット１以外にも採用することができる。特に、浴室ユニット１の場合と同様に、照明器具１２がユーザの目の高さ付近に設置される部屋が好ましく、浴室ユニット１の他に例えば洗面ユニットがこれに該当する。
【図面の簡単な説明】
【００３９】
【図１】本発明の内装壁構造を有する浴室ユニットの斜視図である。
【図２】偏光シートと壁パネルの断面図である。
【図３】偏光シートの変色機能を示す概念図である。
【符号の説明】
【００４０】
１      浴室ユニット
２      床部材
３      浴槽
４      壁パネル
５      天井パネル
６      浴室ドア
１２      照明器具
１３      装飾模様
１４      彩色エリア
１５      偏光シート
１６      フレーク顔料
１６      高屈折率層
Ｄ１      直接光
Ｒ１      反射光
【図１】
2009191544.tif 000004
【図２】
2009191544.tif 000005
【図３】
2009191544.tif 000006